(57)【要約】【課題】効率的にドレン水を処理することができるドレン水処理装置を提供すること。【解決手段】圧縮機１２から凝縮器１３に冷媒を導く管路の一部をコイル状に成形した蒸発コイル３２が各商品室から排出されたドレン水を溜める蒸発皿３１に収容してあり、蒸発皿３１に溜まったドレン水を蒸発コイル３２が蒸発させて外部に排出するドレン水処理装置３０において、蒸発皿３１に溜まったドレン水に少なくとも一部が浸積した蒸発シート３３により蒸発コイル３２の外周面を被覆した。【選択図】        図４
2006329528.tif 000002
【特許請求の範囲】
【請求項１】
圧縮機から凝縮器に冷媒を導く管路の一部をコイル状に成形した蒸発コイルが冷蔵室から排出されたドレン水を溜める蒸発皿に収容してあり、
蒸発皿に溜まったドレン水を前記蒸発コイルが蒸発させて外部に排出するドレン水処理装置において、
蒸発皿に溜まったドレン水に少なくとも一部が浸積した蒸発シートにより前記蒸発コイルの外周面を被覆したことを特徴とするドレン水処理装置。
【請求項２】
前記蒸発シートを不織布により形成したことを特徴とする請求項１に記載のドレン水処理装置。
【請求項３】
前記蒸発シートの両側部に形成した切り込みを相互に咬み合わせたことを特徴とする請求項１または２に記載のドレン水処理装置。
【発明の詳細な説明】
【技術分野】
【０００１】
本発明は、たとえば、自動販売機、冷蔵庫、冷凍ショーケース、冷蔵ショーケース等の冷凍／冷蔵室から排出されるドレン水を蒸発させて、外部に排出するドレン水処理装置に関するものである。
【背景技術】
【０００２】
缶入り飲料、ビン入り飲料、ペットボトル入り飲料等の商品を販売する自動販売機が広く普及している。このような自動販売機は、たとえば、３つの商品室と、１つの機械室とを有したもので、各商品室を個別に温度制御することが可能である。これらのうち、正面向かって左側の商品室（以下の説明において適宜「左室」と称する。）は冷却専用であり、真ん中の商品室（以下の説明において適宜「中室」と称する。）と正面向かって右側の商品室（以下の説明において適宜「右室」と称する。）とは、冷却／加熱を切り替え可能である。すなわち、左室は熱交換器として冷却専用のものを、中室と右室とは、熱交換機として冷却／加熱を切り替えることのできるものを配設してある。
【０００３】
各商品室には、内部を上下に仕切るように個別にシュータを配設してあり、このシュータの上方部に集積室を構成する一方、該シュータの下方部に熱交換室を構成してある。左室の熱交換室には、その奥方から、蒸発器、送風ファンが順次配設してあり、中室と右室の熱交換室には、蒸発器と送風ファンとの間に、さらにヒータが配設してある。
【０００４】
各蒸発器は、機械室に配置した圧縮機、凝縮器、電磁弁、膨張器により冷凍サイクルを構成する。また、凝縮器の後方には、送風ファンが配設してある。
【０００５】
このように構成した冷凍サイクルを稼働すると、左室と冷蔵設定してある商品室の内部が冷却されることになる。そして、左室と冷蔵設定してある商品室の内部では、空気中の水分が結露して、商品室にドレン水が生じることになる。このドレン水を商品室から自動販売機の外部に排出すべく、ドレン水処理装置１３０が自動販売機に内蔵してある。
【０００６】
このドレン水処理装置１３０は、図７に示すように、圧縮機１１２から凝縮器１１３に冷媒を導く管路の一部をコイル状に形成した蒸発コイル１３２が商品室から排出されたドレン水を溜める蒸発皿１３１に収容してあり、蒸発皿１３１に溜められたドレン水に一部が浸積した蛇腹状に折り畳んだ蒸発シート１３３が蒸発コイル１３２のコイル間に挟まれるように配設してある。このドレン水処理装置１３０によれば、蒸発皿１３１に溜まったドレン水は、蒸発シート１３３に吸水されて蒸発コイル１３２に供給されることになる。そして、蒸発コイル１３２で蒸発したドレン水は外部に排出される。したがって、蒸発皿１３１に溜められたドレン水に一部が浸積した蒸発シート１３３は、ドレン水の蒸発を助長し、効率的なドレン水の処理を可能にしている（たとえば、特許文献１、特許文献２参照）。
【０００７】
【特許文献１】特開平１０−８９８３７号公報
【特許文献２】特開平９−１１３１０４号公報
【発明の開示】
【発明が解決しようとする課題】
【０００８】
しかしながら、従来のドレン水処理装置よりも、さらに効率的にドレン水を処理することができるドレン水処理装置が求められている。
【０００９】
本発明は、上記実情に鑑みて、効率的にドレン水を処理することができるドレン水処理装置を提供することを目的とする。
【課題を解決するための手段】
【００１０】
上記の目的を達成するために、本発明の請求項１にかかるドレン水処理装置は、冷蔵／冷凍室から排出されたドレン水を溜める蒸発皿と、圧縮機から凝縮器に導く管路の一部をコイル状に成形し、前記蒸発皿の内部に収容した蒸発コイルとを備え、蒸発皿に溜まったドレン水を前記蒸発コイルが蒸発させて外部に排出するドレン水処理装置において、蒸発皿に溜まったドレン水に少なくとも一部が浸積した蒸発シートにより前記蒸発コイルの外周面を被覆したことを特徴とする。
【００１１】
また、本発明の請求項２にかかるドレン水処理装置は、上記請求項１において、前記蒸発シートを不織布により形成したことを特徴とする。
【００１２】
また、本発明の請求項３にかかるドレン水処理装置は、上記請求項１または２において、前記蒸発シートの両側部に形成した切り込みを相互に咬み合わせたことを特徴とする。
【発明の効果】
【００１３】
本発明にかかるドレン水処理装置は、蒸発皿に溜まったドレン水に少なくとも一部が浸積した蒸発シートにより蒸発コイルの外周面を被覆したので、効率的にドレン水を蒸発させることができる。
【発明を実施するための最良の形態】
【００１４】
以下に添付図面を参照して、本発明にかかるドレン水処理装置の好適な実施例を詳細に説明する。なお、この実施例によりこの発明が限定されるものではない。
【実施例】
【００１５】
まず、本発明の実施例にかかるドレン水処理装置を適用した自動販売機について、説明する。なお、図１は本発明の実施例にかかるドレン水処理装置を適用した自動販売機を示す斜視図、図２は図１に示した自動販売機の正面模式図、図３は図１に示した自動販売機の側断面模式図である。
【００１６】
ここで例示する自動販売機は、缶入り飲料、ビン入り飲料、ペットボトル入り飲料等の商品を販売するためのもので、図１に示すように、本体キャビネット１、内扉２、外扉３を備えている。
【００１７】
本体キャビネット１は、複数の鋼板を適宜組み合わせることによって構成したもので、前面が開口した直方体形状を有している。この本体キャビネット１の内部には、３つの独立した商品室４ａ，４ｂ，４ｃが並設してあるとともに、これら商品室４ａ，４ｂ，４ｃの下方となる位置に唯一の機械室５（図２参照）が設けてある。
【００１８】
商品室４ａ，４ｂ，４ｃは、缶入り飲料、ビン入り飲料、ペットボトル入り飲料を所望の温度に維持した状態で収容するためのもので、それぞれの上方部にコラム状のラック６ａ，６ｂ，６ｃが配設してある一方、シュータ７によって画成される下方部に熱交換器が配設してある。そして、各商品室４ａ，４ｂ，４ｃは、個別に温度制御することが可能である。
【００１９】
これらの商品室４ａ，４ｂ，４ｃのうち、正面向かって左側の商品室４ａ（以下の説明において適宜「左室４ａ」と称する。）は冷却専用であり、真ん中の商品室４ｂ（以下の説明において適宜「中室４ｂ」と称する。）と正面向かって右側の商品室４ｃ（以下の説明において適宜「右室４ｃ」と称する。）とは冷却／加熱を切り替え可能である。したがって、左室４ａは熱交換器として冷却専用のものを、中室４ｂと右室４ｃとには熱交換器として冷却／加熱を切り替えることのできるものを配設してある。
【００２０】
すなわち、左室４ａの熱交換室には、図２および図３に示すように、その奥方から蒸発器１１、送風ファン２０が順次配設してあり、中室４ｂと右室４ｃの熱交換室には、蒸発器１１と送風ファン２０との間に、さらにヒータ２２が配設してある。
【００２１】
各蒸発器１１は、機械室５に配置した圧縮機１２、凝縮器１３、膨張器１４、電磁弁１５により冷凍サイクル１０を構成する。また、凝縮器１３の後方には、送風ファン２３が配設してある。
【００２２】
自動販売機の内扉２および外扉３は、それぞれ本体キャビネット１の一側縁部に支承してある。内扉２は、本体キャビネット１に設けた商品室４ａ，４ｂ，４ｃの前面を覆うに十分な大きさを有したもので、鋼材によって構成してある。図示の例では、内扉２を上下に分割し、それぞれを個別に開閉できるようにしてある。外扉３は、本体キャビネット１の前面開口を覆うに十分な大きさを有したもので、鋼材により堅牢に構成してある。この外扉３の表面側には、展示室、選択ボタン、硬貨投入口、紙幣挿入口、表示器、硬貨返却口、商品取出口が設けてあり、外扉３の裏面側には、コインメカニズム、硬貨回収箱、ビルバリデータ、中扉、コントロールボックスが設けてある。
【００２３】
展示室は、中扉に配設した商品見本を利用者に視認させるためのものである。選択ボタンは、利用者が購入商品を選択するための押しボタンスイッチであり、展示室に配設した商品見本ごとに用意してある。硬貨投入口は、利用者が硬貨を投入するための開口である。この硬貨投入口から投入された硬貨は、コインメカニズムにおいて金種が識別され、その後、内部に収容されることになる。紙幣挿入口は、利用者が紙幣を挿入するための開口である。この紙幣挿入口を通じて挿入された紙幣は、ビルバリデータにおいてその金種が識別されることになる。また、上記紙幣挿入口は、ビルバリデータにおいて識別できなかった紙幣を返却するための機能も有している。
【００２４】
表示器は、貨幣の投入金額、販売中であるか否か、釣り銭があるか否か等、各種情報を利用者に表示するための表示手段である。硬貨返却口は、コインメカニズムにおいて識別できなかった硬貨、あるいは釣り銭となる硬貨を利用者に返却するための開口である。硬貨回収箱はコインメカニズムに収容しきれない硬貨等を回収する箱体である。
【００２５】
商品取出口は、ラック６ａ，６ｂ，６ｃから払い出された商品を利用者が受け取るための開口である。コントロールボックスは自動販売機の各種制御を行う制御基板を収容した箱体である。
【００２６】
このように構成した自動販売機の冷凍サイクル１０を稼働すると、各商品室４ａ，４ｂ，４ｃが冷却され、各ラック６ａ，６ｂ，６ｃに収容した商品が冷却されることになる。また、各商品室４ａ，４ｂ，４ｃが冷却されると、各商品室内の空気中の水分が結露して、各商品室４ａ，４ｂ，４ｃの内部にドレン水が生じることになる。
【００２７】
本発明の実施例にかかるドレン水処理装置３０は、このドレン水を気化させて自動販売機の外部に排出するものである。以下、図４〜図６に基づいて、詳細に説明する。なお、図４は本発明の実施例にかかるドレン水処理装置を示す斜視図、図５は図４に示した蒸発シートの展開図、図６は図５に示した蒸発シートの装着状態を示す概念図である。
【００２８】
本発明の実施例にかかるドレン水処理装置３０は、蒸発皿３１、蒸発コイル３２、蒸発シート３３を備えている。
【００２９】
蒸発皿３１は、各商品室４ａ，４ｂ，４ｃから排出されたドレン水を一時的に溜めておくものであり、上方が開口した直方体形状の容器である。この蒸発皿３１と各商品室４ａ，４ｂ，４ｃとは、それぞれドレンパイプ（図示せず）により接続してあり、各商品室４ａ，４ｂ，４ｃにおいて生じたドレン水はドレンパイプ（図示せず）を経由して蒸発皿３１に排出可能である。この蒸発皿３１に、上述した蒸発コイル３２が収容してある。
【００３０】
蒸発コイル３２は、図４に示すように、圧縮機１２から凝縮器１３に冷媒を導く管路の一部をコイル状に形成したものであり、圧縮機１２で圧縮された高温、かつ高圧な冷媒が流れることになる。
【００３１】
蒸発シート３３は、蒸発皿３１に溜まったドレン水に一部を浸積させたものであって、蒸発コイル３２の外周面を被覆するように配設してある。蒸発シート３３は、吸水性に優れたものであって、たとえば、不織布等により作成することが好ましい。
【００３２】
蒸発シート３３は、図５に示すように、矩形形状を有しており、両側部には側部から中程まで至る切り込み３３ａ，３３ｂが形成してある。この蒸発シート３３は、蒸発コイル３２の外周に巻き付けた後に、図６に示すように、切り込み３３ａ，３３ｂを相互に咬み合わせることにより、蒸発コイル３２に装着してある。
【００３３】
上述した自動販売機の冷凍サイクル１０の稼働によって各商品室４ａ，４ｂ，４ｃに生じたドレン水は、ドレン水処理装置３０により自動販売機の機外に排出される。具体的に説明する。各商品室４ａ，４ｂ，４ｃに発生したドレン水は、ドレンパイプを介して蒸発皿３１に排出され、一時的に溜められる。そして、このドレン水は、蒸発シート３３により吸い上げられ、蒸発コイル３２によって気化することになる。一方、圧縮機１２で圧縮され、高温高圧となった冷媒は蒸発シート３３に吸い上げられたドレン水が気化することにより予冷され、その後、凝縮器１３に送出されることになる。
【００３４】
上述したドレン水処理装置３０によれば、蒸発コイル３２の外周を被覆するように蒸発シート３３が装着してあるので、従来のドレン水処理装置よりも効率的にドレン水を蒸発させることができる。また、蒸発シート３３を蒸発コイル３２の外周に巻き付けた後、切り込み３３ａ，３３ｂを相互に咬み合わせれば、蒸発コイル３２に蒸発シート３３を装着できるので、ドレン水処理装置３０を効率的に組み立てることができる。
【００３５】
さらに、圧縮機１２で圧縮され、高温高圧となった冷媒は蒸発シート３３に吸い上げられたドレン水が気化することにより、予冷されるので、冷凍サイクル１０の稼働効率を上げることができる。
【産業上の利用可能性】
【００３６】
以上のように、本発明にかかるドレン水処理装置は、自動販売機、冷蔵庫、冷凍ショーケース、冷蔵ショーケース等の冷蔵室から排出されるドレン水の処理に有用であり、特に、自動販売機の商品室から排出されたドレン水の処理に適している。
【図面の簡単な説明】
【００３７】
【図１】本発明の実施例にかかるドレン水処理装置を適用した自動販売機を示す模式図である。
【図２】図１に示した自動販売機の正面模式図である。
【図３】図１に示した自動販売機の側断面模式図である。
【図４】本発明の実施例にかかるドレン水処理装置を示す斜視図である。
【図５】図２に示した蒸発シートの展開図である。
【図６】図３に示した蒸発シートの装着状態を示す概念図である。
【図７】従来のドレン水処理装置を示す斜視図である。
【符号の説明】
【００３８】
１    本体キャビネット
２    内扉
３    外扉
４ａ    商品室（左室）
４ｂ    商品室（中室）
４ｃ    商品室（右室）
５    機械室
６ａ，６ｂ，６ｃ    ラック
７    シュータ
１０    冷凍サイクル
１１    蒸発器
１２    圧縮機
１３    凝縮器
１４    膨張器
１５    電磁弁
２０    送風ファン
２２    ヒータ
２３    送風ファン
３０    ドレン水処理装置
３１    蒸発皿
３２    蒸発コイル
３３    蒸発シート
３３ａ，３３ｂ    切り込み
【図１】
2006329528.tif 000003
【図２】
2006329528.tif 000004
【図３】
2006329528.tif 000005
【図４】
2006329528.tif 000006
【図５】
2006329528.tif 000007
【図６】
2006329528.tif 000008
【図７】
2006329528.tif 000009